(57)【要約】【課題】容易に窓周りへの化粧枠の取付を可能とする、窓用化粧枠取付構造および窓用化粧枠取付方法を提供する。【解決手段】住宅の窓２００の周囲に設けられる窓用化粧枠取付構造であって、窓２００の周囲に配置された住宅の柱又は梁等の構造物１０と、窓２００の周囲を取り囲むように所定の間隔を隔て、構造物１０の室外側に配置された胴縁１２０と、窓２００の周囲を取り囲むように胴縁１２０の室外側に配置される外壁パネル１１０と、外壁パネル１１０の一部を覆い、窓２００の周囲に配置される化粧枠１００とを備え、外壁パネル１１０の窓２００側の外壁パネル端部１１０ｔの位置は、窓２００の窓端部２００ｔから隙間Ｓを生じさせるように所定距離Ｗ離れて位置し、隙間Ｓには、スペーサ２１０，２２０が配置され、化粧枠１００は、スペーサ２１０を覆うとともに、外壁パネル端部１１０ｔを含むように外壁パネル１１０の一部を覆う。【選択図】図５
2020101030.tif 000002
【特許請求の範囲】
【請求項１】
住宅の窓の周囲に設けられる窓用化粧枠取付構造であって、
前記窓の周囲に配置された前記住宅の柱又は梁等の構造物と、
前記窓の周囲を取り囲むように所定の間隔を隔て、前記構造物の室外側に配置された胴縁と、
前記窓の周囲を取り囲むように前記胴縁の室外側に配置される外壁パネルと、
前記外壁パネルの一部を覆い、前記窓の周囲に配置される窓用化粧枠と、を備え、
前記外壁パネルの前記窓側の外壁パネル端部の位置は、前記窓の窓端部から隙間を生じさせるように所定距離離れて位置し、
前記隙間には、スペーサが配置され、
前記窓用化粧枠は、前記スペーサを覆うとともに、前記外壁パネル端部を含むように前記外壁パネルの一部を覆う、窓用化粧枠取付構造。
【請求項２】
前記窓用化粧枠の前記窓側の窓用化粧枠端部と、前記窓端部との間には、シール部材が配置されている、請求項１に記載の窓用化粧枠取付構造。
【請求項３】
前記スペーサの前記窓側の端部の少なくとも一部は、前記シール部材と接している、請求項２に記載の窓用化粧枠取付構造。
【請求項４】
前記窓用化粧枠の裏面は、前記外壁パネルおよび前記スペーサの室外側表面の段差を吸収する段差部を含む、請求項１から請求項３のいずれか１項に記載の窓用化粧枠取付構造。
【請求項５】
住宅の窓の周囲に窓用化粧枠を取り付けるための窓用化粧枠取付方法であって、
前記住宅は、
前記窓の周囲に配置された前記住宅の柱又は梁等の構造物と、
前記窓の周囲を取り囲むように所定の間隔を隔て、前記構造物の室外側に配置された胴縁と、
前記窓の周囲を取り囲むように前記胴縁の室外側に配置される外壁パネルと、を含み、
前記外壁パネルの前記窓側の外壁パネル端部の位置が、前記窓の窓端部から隙間を生じさせるように所定距離離れて位置するように、前記外壁パネルの一部を取り除く工程と、
前記隙間に、スペーサを配置し、前記スペーサを前記構造物に固定する工程と、
前記スペーサを覆うとともに、前記外壁パネル端部を含むように前記外壁パネルの一部を覆うように前記窓用化粧枠を前記スペーサに固定する工程と、
を備える、窓用化粧枠取付方法。
【発明の詳細な説明】
【技術分野】
【０００１】
本発明は、窓用化粧枠取付構造および窓用化粧枠取付方法に関する。
【背景技術】
【０００２】
住宅等の木造建物の外観の見栄えを向上させるため、玄関周りの壁に化粧枠を取り付ける構造が、特開２００９−２４３１１２号公報（特許文献１）、特開平６−１６７１７０号公報（特許文献２）に開示されている。
【先行技術文献】
【特許文献】
【０００３】
【特許文献１】特開２００９−２４３１１２号公報
【特許文献２】特開平６−１６７１７０号公報
【発明の概要】
【発明が解決しようとする課題】
【０００４】
近年、住宅等のリフォームにおいて、玄関周り、窓周りの化粧枠を後付により取付ることで、住宅等のデザイン性を向上させることが検討されている。上記のように特許文献１および特許文献２は、玄関周り対する化粧枠の取付であって、容易に窓周りに対する化粧枠の取付構造および取付方法を開発する必要があった。
【０００５】
この発明の目的は、上記課題を解決するためになされたものであり、容易に窓周りへの化粧枠の取付を可能とする、窓用化粧枠取付構造および窓用化粧枠取付方法を提供することにある。
【課題を解決するための手段】
【０００６】
この窓用化粧枠取付構造においては、住宅の窓の周囲に設けられる窓用化粧枠取付構造であって、上記窓の周囲に配置された上記住宅の柱又は梁等の構造物と、上記窓の周囲を取り囲むように所定の間隔を隔て、上記構造物の室外側に配置された胴縁と、上記窓の周囲を取り囲むように上記胴縁の室外側に配置される外壁パネルと、上記外壁パネルの一部を覆い、上記窓の周囲に配置される窓用化粧枠と、を備える。上記外壁パネルの上記窓側の外壁パネル端部の位置は、上記窓の窓端部から隙間を生じさせるように所定距離離れて位置し、上記隙間には、スペーサが配置され、上記窓用化粧枠は、上記スペーサを覆うとともに、上記外壁パネル端部を含むように上記外壁パネルの一部を覆う。
【０００７】
他の形態においては、上記窓用化粧枠の上記窓側の窓用化粧枠端部と、上記窓端部との間には、シール部材が配置されている。
【０００８】
他の形態においては、上記スペーサの上記窓側の端部の少なくとも一部は、上記シール部材と接している。
【０００９】
他の形態においては、上記窓用化粧枠の裏面は、上記外壁パネルおよび上記スペーサの室外側表面の段差を吸収する段差部を含む。
【００１０】
この窓用化粧枠取付方法においては、住宅の窓の周囲に窓用化粧枠を取り付けるための窓用化粧枠取付方法であって、上記住宅は、上記窓の周囲に配置された上記住宅の柱又は梁等の構造物と、上記窓の周囲を取り囲むように所定の間隔を隔て、上記構造物の室外側に配置された胴縁と、上記窓の周囲を取り囲むように上記胴縁の室外側に配置される外壁パネルと、を含む。上記外壁パネルの上記窓側の外壁パネル端部の位置が、上記窓の窓端部から隙間を生じさせるように所定距離離れて位置するように、上記外壁パネルの一部を取り除く工程と、上記隙間に、スペーサを配置し、上記スペーサを上記構造物に固定する工程と、上記スペーサを覆うとともに、上記外壁パネル端部を含むように上記外壁パネルの一部を覆うように上記窓用化粧枠を上記スペーサに固定する工程と、を備える。
【発明の効果】
【００１１】
この窓用化粧枠取付構造および窓用化粧枠取付方法によれば、容易に窓周りへの化粧枠の取付を可能とする。
【図面の簡単な説明】
【００１２】
【図１】木造住宅の窓に継化粧枠を取付概念を示す模式図である。
【図２】本実施の形態の窓用化粧枠を取付の後の正面図である。
【図３】図２中のＩＩＩで囲まれた領域の部分拡大図である。
【図４】本実施の形態の窓用化粧枠を取付ための前準備を示す、図２中のＶ線矢視に対応する断面図である。
【図５】本実施の形態の窓用化粧枠取付構造を示す、図２中のＶ線矢視断面図である。
【図６】既存木造住宅の窓周りの構造を示す縦断面図である。
【発明を実施するための形態】
【００１３】
本発明に基づいた実施の形態の窓用化粧枠取付構造および窓用化粧枠取付方法について、以下、図面を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。また「周囲を取り囲む」とは、必ずしも全周ではなく、一部が囲まれていればよい。図においては、実際の寸法比率では記載しておらず、構造の理解を容易にするために、一部比率を異ならせて記載している。以下、本明細書の説明において、窓ガラスおよび窓サッシを総称して単に窓と称する。
【００１４】
最初に、図６を参照して、既設の木造住宅の窓周りの構造について説明する。図６は、既存木造住宅の窓周りの構造を示す縦断面図である。以下、本明細書の説明において、窓ガラスおよび窓サッシを総称して単に窓２００と称する。以下に示す窓周りの構造は一例であって、この構造に限定されるものではない。
【００１５】
木造住宅において、窓２００の近傍には、縦方向には柱または間柱、横方向には窓台または梁が設けられている。木造住宅の柱、梁等を、単に構造物１０と称する。窓２００は、木ねじＢ２等を用いて構造物１０に固定されている。窓２００の室内側には、室内窓枠４００が設けられ、室内窓枠４００と構造物１０との間に生じる隙間には、スペーサ４１０，４２０が配置されている。構造物１０の室外側には、構造用合板、防火パネル等の室外側パネル１３０が配置されている。
【００１６】
構造物１０は、室内側パネル２０と室外側パネル１３０との間に挟まれ、室内側パネル２０と室外側パネル１３０との間の空間には、グラスウールやポリウレタンフォーム等の断熱材３０等が配置されている。
【００１７】
室外側パネル１３０の室外側には、所定の間隔を隔て、木材等からなる胴縁１２０が配置され、さらに、胴縁１２０の室外側には、木造住宅の外壁となる外壁パネル１１０が配置されている。胴縁１２０は、室外側パネルと外壁パネルの間に通気空間を生じさせる役割を有する。
【００１８】
外壁パネル１１０の窓２００側の外壁パネル端部１１０ｔと窓端部２００ｔとの間には、シール材として、シーリング保持部材２３０およびシーリング部材２４０が配置されている。
【００１９】
次に、図１から５を参照して、既設の木造住宅の窓に窓用化粧枠を取り付ける場合について説明する。図１は、木造住宅の窓に継化粧枠を取付概念を示す模式図、図２は、本実施の形態の窓用化粧枠を取付の後の正面図、図３は、図２中のＩＩＩで囲まれた領域の部分拡大図、図４は、本実施の形態の窓用化粧枠を取付ための前準備を示す、図２中のＶ線矢視に対応する断面図、図５は、本実施の形態の窓用化粧枠取付構造を示す、図２中のＶ線矢視断面図である。
【００２０】
図１および図２を参照して、木造住宅の窓２００の周囲に窓用化粧枠１００を取り付ける。窓用化粧枠１００は、４分割され、それぞれ端部において、窓用化粧枠１００が相互に突き合わせられるように、長手方向端部１００ｃは、４５度の角度にカットされている。
【００２１】
図２を参照して、４つの窓用化粧枠１００は、木ねじＢ１等により固定される。窓用化粧枠１００は、窯業材、樹脂材等が用いられるが、防火性および施工性を考えた場合、厚み７〜３０ｍｍ、比重０．８〜１．９程度のセメント系押出成形体が最も好ましい。木ねじＢ１は、意匠上、目立たないように、窓用化粧枠１００と同系色の塗装が施されているとよい。
【００２２】
図３を参照して、角部において窓用化粧枠１００の突き当たり部には、隙間を目立たなくするために、裏面側（室内側）にバックアップ材３００を配置することが好ましい。別途、目自材等を施すようにしてもよい。
【００２３】
図４を参照して、既存住宅において、外壁パネル１１０の窓２００側の外壁パネル端部１１０ｔの位置が、窓２００の窓端部２００ｔから隙間Ｓを生じさせるように所定距離Ｗ離れて位置するように、外壁パネル１１０の一部１１０ａを取り除く。なお、外壁パネルの本実施形態では厚み１４ｍｍであるが、厚みは通常７〜２５ｍｍ程度である。また、所定距離Ｗは、通常３０〜２００ｍｍ程度である。
【００２４】
ここで、窓２００側の外壁パネル端部１１０ｔの位置と、胴縁１２０の窓２００側の端面位置１２０ｔとが略面一であるとよい。
【００２５】
図５を参照して、隙間Ｓに、主スペーサ２１０および調整用スペーサ２２０を配置し、主スペーサ２１０および調整用スペーサ２２０を接着材等を用いて予め構造物１０に固定する。主スペーサは１１〜３０ｍｍ程度の厚みであるが、調整用スペーサ２２０は、主スペーサ２１０に比較して薄いものが用いられ、例えば５〜１０ｍｍ程度の厚みのものが用いられる。調整用スペーサ２２０を複数枚用いることで、容易に隙間Ｓを埋める厚さを主スペーサ２１０および調整用スペーサ２２０を用いて設定することができる。なお、調整用スペーサ２２０は室外側パネル１３０の端材を用いるのが好ましい。図５においては、外壁パネル１１０の表面と主スペーサ２１０の表面は、約３ｍｍの段差ｄが生じている。この段差ｄを吸収するため、窓用化粧枠１００の裏面１００ｒは、段差部１００ｄを含む。
【００２６】
次に、主スペーサ２１０および調整用スペーサ２２０を覆うとともに、外壁パネル端部１１０ｔを含むように外壁パネル１１０の一部を覆うように窓用化粧枠１００を、胴縁１２０、主スペーサ２１０および調整用スペーサ２２０に木ねじＢ１等を用いて固定する。本実施の形態においては、裏面側に３ｍｍの段差部１００ｄを有する比重１．０程度のセメント系押出成形体である。厚みは段差部１００ｄが有る部分では２０ｍｍ、段差部１００ｄが無い部分においては１７ｍｍである。なお、窓方向に向けた長さは１５０ｍｍである。段差部１００ｄが上記外壁パネル１１０の表面と主スペーサ２１０の表面の段差を吸収し、窓用化粧枠１００は、平坦性を維持した状態で固定される。
【００２７】
窓用化粧枠１００の外壁パネル１１０の重なり長さＯＬは、おおよそ、外壁パネル端部１１０ｔから窓端部２００ｔまでの所定距離Ｗの１／２程度または３０〜１００ｍｍ程度が好ましい。本実施の形態においては窓用化粧枠の長さ１５０ｍｍのうち、重なり長さＯＬは５５ｍｍ程度となる。これにより、窓用化粧枠１００を安定的に、胴縁１２０、主スペーサ２１０および調整用スペーサ２２０に固定することができる。
【００２８】
窓用化粧枠端部１００ｔと、窓端部２００ｔとの間には、シール材としてシーリング保持部材２３０およびシーリング部材２４０が配置されている。主スペーサ２１０の窓２００側の端部２１０ｔの少なくとも一部部分（図中ｔで示す領域）が、シーリング保持部材２３０および／またはシーリング部材２４０と接しているとよい。窓用化粧枠１００の窓２００とは反対側には、外壁パネル１１０に面する位置に凹部１００ｐが設けられている。この凹部１００ｐにシーリング部材２５０が配置されている。これにより、窓用化粧枠端部１００ｔと、窓端部２００ｔとの間に生じる隙間からの雨水・風等の侵入を阻止することができる。
【００２９】
以上の構成を有する窓用化粧枠取付構造および窓用化粧枠取付方法によれば、従来の構造に大きな変更を加えることなく、外壁パネル１１０の一部１１０ａを取り除くことのみで、窓用化粧枠１００を構造物１０に固定することが可能となる。これにより、容易に窓周りへの化粧枠の取付を可能とする一方、窓用化粧枠１００を強固に構造物１０側に固定することができる。
【００３０】
なお、上記実施の形態では、既存住宅の窓の周囲に窓用化粧枠１００を取付る場合を説明しているが、既存住宅だけでなく新築住宅であっても、上述の窓用化粧枠取付構造を採用してもよい。また、上記実施の形態では、木造の住宅を想定しているが、木造に限定されることなく、同等の構造を有する住宅に適用することも可能である。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３２】
１０  構造物、２０  室内側パネル、１００  窓用化粧枠、１００ｃ  長手方向端部、１００ｄ  段差部、１００ｔ  窓用化粧枠端部、１００ｐ  凹部、１００ｒ  裏面、１１０  外壁パネル、１１０ａ  一部、１１０ｔ  外壁パネル端部、１２０  胴縁、１２０ｔ  端面位置、１３０  室外側パネル、２００  窓、２００ｔ  窓端部、２１０  主スペーサ、２１０ｔ  端部、２２０  調整用スペーサ、２３０  シーリング保持部材、２４０  シーリング部材、３００  バックアップ材、４００  室内窓枠、４１０，４２０  スペーサ。
【図１】
2020101030.tif 000003
【図２】
2020101030.tif 000004
【図３】
2020101030.tif 000005
【図４】
2020101030.tif 000006
【図５】
2020101030.tif 000007
【図６】
2020101030.tif 000008